(57)【要約】【課題】  読取装置部と原稿押さえ装置との位置ズレを防止もしくは検知し、スキュー防止、異常画像の出力可能性検知できる画像読取装置と、これを用いた画像形成装置を提供することを目的とする。【解決手段】  原稿押さえ装置４は読取装置部５後方のヒンジ８、８で上下方向に回動開閉可能に固定してある。原稿読取装置２の読取装置部５側に凸形状部１０を設け、原稿押さえ装置４側に凸形状部１０と嵌合し得る凹形状部１１を設ける。凸形状部１０と凹形状部１１とは、原稿押さえ装置４を閉じた時に嵌合する位置に設けてあり、原稿押さえ装置４を閉じた時に、凸形状部１０と凹形状部１１の形状の精度で原稿押さえ装置４と読取装置部５の位置関係を決めることができ、ヒンジ８のみで固定した場合よりも装置間のズレを軽減することができる。【選択図】        図１
2007074065.tif 000002
【特許請求の範囲】
【請求項１】
読取装置部と原稿押さえ装置の対応位置それぞれに、互いに嵌合する嵌合形状部を設けてなることを特徴とする画像読取装置。
【請求項２】
請求項１の画像読取装置において、前記嵌合形状部が凹凸嵌合する形状を有することを特徴とする画像読取装置。
【請求項３】
請求項１または２の画像読取装置において、前記嵌合形状部が前記原稿押さえ装置を閉じた時に嵌合する位置にあることを特徴とする画像読取装置。
【請求項４】
請求項２または３の画像読取装置において、前記嵌合形状部のうちの凸側となる嵌合形状部が嵌合時に凹み得るものであることを特徴とする画像読取装置。
【請求項５】
読取装置部と原稿押さえ装置の対応位置それぞれに、前記読取装置部と前記原稿押さえ装置との位置関係を検知するためのセンサーを備えることを特徴とする画像読取装置。
【請求項６】
請求項１から５のいずれかの画像読取装置を用いたことを特徴とする画像形成装置。
【請求項７】
扉と装置本体部等のような開閉部の対応位置それぞれに、互いに嵌合する嵌合形状部を設けてなることを特徴とする画像形成装置。
【請求項８】
請求項７の画像形成装置において、前記嵌合形状部が凹凸嵌合する形状を有することを特徴とする画像形成装置。
【請求項９】
請求項７または８の画像形成装置において、前記嵌合形状部が前記開閉部を閉じた時に嵌合する位置にあることを特徴とする画像形成装置。
【請求項１０】
請求項８または９の画像形成装置において、前記嵌合形状部のうちの凸側となる嵌合形状部が嵌合時に凹み得るものであることを特徴とする画像形成装置。
【請求項１１】
請求項７から１０のいずれかの画像形成装置において、前記開閉部の位置関係を検知するためのセンサーを備えることを特徴とする画像形成装置。
【発明の詳細な説明】
【技術分野】
【０００１】
本発明は、読取装置部と原稿押さえ装置との位置ズレを防止もしくは検知するための機構を有する画像読取装置と、これを用いた画像形成装置、さらには同種の機構を扉などの開閉部に有する画像形成装置に関する。
【背景技術】
【０００２】
画像読取装置においては、読取装置部と原稿押さえ装置とは装置後方のヒンジのみによって位置決めされているものが多い。そのため、部品の持つ誤差や取り付け誤差によって位置がズレやすく、その結果として、自動原稿送り装置（ＡＤＦ）を持った原稿押さえ装置を備えた画像読取装置においては、原稿の送り方向と読取光軸とに傾きなどが発生しやすくなり、シートスルー原稿を読み取る際にスキューが発生してしまう等の問題が生じやすくなる。
【０００３】
なお特許文献１においては、画像読取装置における原稿押さえ装置の位置調整機構に関する発明が開示されており、原稿押さえ装置を固定しているヒンジに調整機構を設けている。また特許文献２においては、画像読取装置のシートスルー原稿読取部の位置ズレを防止するための発明が開示されており、原稿押さえ装置側に柔軟性を持たせている。
【特許文献１】特開2002-131852号公報
【特許文献２】特開2002-265092号公報
【発明の開示】
【発明が解決しようとする課題】
【０００４】
本発明は、画像読取装置における読取装置部と原稿押さえ装置との位置ズレを防止もしくは検知することにより、スキューを防いだり、異常画像が出力される可能性を検知したりすることができる機構を有する画像読取装置と、これを用いた画像形成装置、さらには同種の機構を扉などの開閉部に有する画像形成装置を提供することを目的とする。
【課題を解決するための手段】
【０００５】
本発明の請求項１に係る画像読取装置は、読取装置部と原稿押さえ装置の対応位置それぞれに、互いに嵌合する嵌合形状部を設けてなることを特徴とする。
【０００６】
同請求項２に係るものは、請求項１の画像読取装置において、前記嵌合形状部が凹凸嵌合する形状を有することを特徴とする。
【０００７】
同請求項３に係るものは、請求項１または２の画像読取装置において、前記嵌合形状部が前記原稿押さえ装置を閉じた時に嵌合する位置にあることを特徴とする。
【０００８】
同請求項４に係るものは、請求項２または３の画像読取装置において、前記嵌合形状部のうちの凸側となる嵌合形状部が嵌合時に凹み得るものであることを特徴とする。
【０００９】
同請求項５に係るものは、読取装置部と原稿押さえ装置の対応位置それぞれに、前記読取装置部と前記原稿押さえ装置との位置関係を検知するためのセンサーを備えることを特徴とする。
【００１０】
同請求項６に係る画像形成装置は、請求項１から５のいずれかの画像読取装置を用いたことを特徴とする。
【００１１】
同請求項７に係るものは、扉と装置本体部等のような開閉部の対応位置それぞれに、互いに嵌合する嵌合形状部を設けてなることを特徴とする。
【００１２】
同請求項８に係るものは、請求項７の画像形成装置において、前記嵌合形状部が凹凸嵌合する形状を有することを特徴とする。
【００１３】
同請求項９に係るものは、請求項７または８の画像形成装置において、前記嵌合形状部が前記開閉部を閉じた時に嵌合する位置にあることを特徴とする。
【００１４】
同請求項１０に係るものは、請求項７から９のいずれかの画像形成装置において、前記嵌合形状部のうちの凸側となる嵌合形状部が嵌合時に凹み得るものであることを特徴とする。
【００１５】
同請求項１１に係るものは、請求項７から１０のいずれかの画像形成装置において、前記開閉部の位置関係を検知するためのセンサーを備えることを特徴とする。
【発明の効果】
【００１６】
本発明は、原稿押さえ装置や開閉部を閉じた時に嵌合する形状部があるので、形状の精度で読取装置部と原稿押さえ装置の位置関係、扉と本体などの開閉部の位置関係を決めることができ、装置後方のヒンジ部のみで固定した場合よりも装置間のズレを軽減することができ、また、機器運搬時の振動や衝撃による変形も軽減することができる。
【発明を実施するための最良の形態】
【００１７】
以下本発明を実施するための最良の形態を、図に示す実施例を参照して説明する。
【実施例１】
【００１８】
図１は本発明の一実施例である画像形成装置の概略構成を示す斜視図である。図中１は画像形成装置本体（構成、構造等は周知であるので説明を省略する）、２は原稿画像を読み取る原稿読取装置、３は自動原稿送り装置（ADF）４を持った原稿押さえ装置、５は読取装置部を示す。また図中６は読取装置部のコンタクトガラス、７は操作部である。原稿押さえ装置４は読取装置部５後方のヒンジ８、８で上下方向に回動開閉可能に固定してある。
【００１９】
図１のような画像形成装置において、原稿読取装置２の読取装置部５側に凸形状部１０を設け、原稿押さえ装置４側に凸形状部１０と嵌合し得る凹形状部１１を設けてある。
【００２０】
凸形状部１０と凹形状部１１とは、原稿押さえ装置４を閉じた時に嵌合する位置に設けてあり、原稿押さえ装置４を閉じた時に、凸形状部１０と凹形状部１１の形状の精度で原稿押さえ装置４と読取装置部５の位置関係を決めることができ、ヒンジ８のみで固定した場合よりも装置間のズレを軽減することができる。また、機器運搬時の振動や衝撃による変形も軽減することができる。
【００２１】
尚、嵌合する形状の位置（本実施例では凸形状部１０と凹形状部１１）に関しては、ヒンジ８の反対側が好ましい。また、原稿押さえ装置４がＡＤＦ機能付きの場合では、シートスルーで読み取る光軸（図示の例ではコンタクトガラス９の長手方向線）の延長線上が好ましい。
【００２２】
なお、原稿押さえ装置４を閉じた時、嵌合する形状のその凸なる方が凹部と合わない場合や、凹部との間に原稿などの介在物がある場合に凸部が凹むのでコンタクトガラスからはみだし、嵌合形状に干渉するような原稿でも痛めることがない。
【実施例２】
【００２３】
図２は本発明の他の実施例である画像形成装置の概略構成を示す斜視図である。この画像形成装置は、読取装置部５側にセンサーの発信部２０を設け、原稿押さえ装置４側にセンサーの受信部２１を設けたものである。発信部２０と受信部２１とは、もちろん原稿押さえ装置４を閉じた時に相対する位置に設けてある。図中２２はセンサー２０、２１間の信号を模式的に示している。もちろん、本実施例において発信側と受信側は逆の配置でも構わない。
【００２４】
本実施例の装置においては、センサーによって読取装置部５と原稿押さえ装置４の相対位置が分かるので、位置が正常か否かの確認ができ、また、原稿押さえ装置４の開閉検知センサーとしても用いることができる。さらには、原稿押さえ装置４の開き具合がわかるセンサーを用いればコンタクトガラス６上の原稿が文献など分厚いものかどうかが分かる。 
【実施例３】
【００２５】
図３は本発明のさらに他の実施例である画像形成装置の概略構成を示す斜視図である。本実施例は、図２のような画像読取装置において、読取装置部５側にセンサーの発・受信部３０を設け、原稿押さえ装置４側にセンサー信号を反射する反射部材３１を設けたものである。
【００２６】
本実施例の装置においても、センサーによって読取装置部５と原稿押さえ装置４の相対位置が分かるので、位置が正常か否かの確認ができる。また、センサー信号の発信及び受信を一方のみで行うことができるようになるので、省スペース化が可能である。
【００２７】
なお本実施例においてセンサーの発・受信部３０側と反射部材３１側は逆の配置でも構わない。また、反射部材３１は図示のような部材ではなくても、表面性状などの形状によって反射性を持たせればどのようなものでも構わない。
【００２８】
なお上述した実施形態、実施例は、自動原稿送り装置のついた原稿押さえ装置に適用した例であるが、本発明は、これに限定されない。また、画像形成装置と一体化された複合機に適用した場合も同様である。
【図面の簡単な説明】
【００２９】
【図１】図１は本発明の一実施例である画像形成装置の概略構成を示す斜視図
【図２】本発明の他の実施例である画像形成装置の概略構成を示す斜視図
【図３】本発明のさらに他の実施例である画像形成装置の概略構成を示す斜視図
【符号の説明】
【００３０】
１  画像形成装置本体
２  原稿読取装置
３  原稿押さえ装置
４  自動原稿送り装置（ADF）
５  読取装置部
６  コンタクトガラス
７  操作部
８  ヒンジ
１０  凸形状部
１１  凹形状部
９  コンタクトガラス
２０  センサーの発信部
２１  センサーの受信部
２２  センサー間の信号
３０  センサーの発・受信部
３１  反射部材
【図１】
2007074065.tif 000003
【図２】
2007074065.tif 000004
【図３】
2007074065.tif 000005